(57)【要約】【課題】容易に施工できる階段状の緑化擁壁の構築方法を提供する。【解決手段】擁壁の壁面を形成する矩形の壁面形成部２と、壁面形成部２から直角方向に延伸して形成されるとともに、鉄筋５が挿入されコンクリート６が充填される縦貫通孔４ａ〜４ｃの数を一定の間隔で１個ずつ増やして設けられている控え部３とからなる、縦貫通孔４ａ〜４ｃの数が異なるコンクリートブロック１ａ〜１ｃ，７ａ〜７ｃを下から貫通孔４ａ〜４ｃが多い順に控え部３の端面３ａを揃え且つ縦貫通孔４ａ〜４ｃの位置を合わせて千鳥状に積み重ね、各段の隣り合う控え部３で形成される空間に植裁土を入れて植裁部９とする形成する階段状の緑化擁壁の構築方法。【選択図】　　図２
2004027774.tif 000002
【特許請求の範囲】
【請求項１】
擁壁の壁面を形成する矩形の壁面形成部と、壁面形成部から直角方向に延伸して形成されるとともに、鉄筋が挿入されコンクリートが充填される縦貫通孔の数を一定の間隔で１個ずつ増やして設けられている控え部とからなる、縦貫通孔の数が異なるコンクリートブロックを下から貫通孔が多い順に控え部の端面を揃え且つ縦貫通孔の位置を合わせて千鳥状に積み重ね、各段において隣り合う控え部で形成される空間に植裁土を入れて植裁部とすることを特徴とする階段状の緑化擁壁の構築方法。
【請求項２】
前記コンクリートブロックが平面視でＬ字形のコンクリートブロックであることを特徴とする請求項１記載の階段状の緑化擁壁の構築方法。
【請求項３】
前記コンクリートブロックが平面視でＴ字形のコンクリートブロックであることを特徴とする請求項１記載の階段状の緑化擁壁の構築方法。
【請求項４】
前記コンクリートブロックが平面視でＵ字形のコンクリートブロックであることを特徴とする請求項１記載の階段状の緑化擁壁の構築方法。
【請求項５】
前記各段をＬ字形のコンクリートブロック、Ｔ字形のコンクリートブロックあるいはＵ字形の各コンクリートブロックを組み合わせて形成することを特徴とする請求項１記載の階段状の緑化擁壁の構築方法。
【発明の詳細な説明】
【０００１】
【発明の属する技術分野】
本発明は、コンクリートブロックを積み上げた階段状の緑化擁壁の構築方法に関する。
【０００２】
【従来の技術】
擁壁として、自然との調和を図るために草木を植裁できるコンクリートブロックを積み上げた緑化擁壁が知られている。緑化擁壁用のブロックは、例えば、特開２００１−３２３４８８号、特開２００１−９８５６９号、特開２００−１７８９８６号、特開平９−１６５７６５号などの公報に記載されている。
【０００３】
図４は従来の緑化擁壁の一例を示す図である。傾斜した裏込めコンクリート１１に沿ってポット形状のコンクリートブロック１２を積み上げ、ポット内に植裁土を入れ、草木を植裁する。
【０００４】
【発明が解決しようとする課題】
従来の傾斜した段積みの緑化擁壁の構築方法は、形状が複雑なコンクリートブロックを準備するとともに、傾斜した裏込めコンクリートを形成し、裏込めコンクリートの傾斜に沿ってコンクリートブロックを精度よく階段状に積み上げていかなくてはならないため、施工に熟練を要し、また手間がかかるという欠点があった。
【０００５】
そこで、本発明は、容易に施工できる階段状の緑化擁壁の構築方法を提供するものである。
【０００６】
【課題を解決するための手段】
本発明の階段状の緑化擁壁の構築方法は、擁壁の壁面を形成する矩形の壁面形成部と、壁面形成部から直角方向に延伸して形成されるとともに、鉄筋が挿入されコンクリートが充填される縦貫通孔の数を一定の間隔で１個ずつ増やして設けられている控え部とからなる、縦貫通孔の数が異なるコンクリートブロックを下から貫通孔が多い順に控え部の端面を揃え且つ縦貫通孔の位置を合わせて千鳥状に積み重ね、各段の隣り合う控え部で形成される空間に植裁土を入れて植裁部とすることを特徴とする。
【０００７】
上記構成において、前記コンクリートブロックが平面がＬ字形、Ｔ字形あるいはＵ字形のコンクリートブロックであり、各段をこれらのコンクリートブロックを組み合わせて形成する。
【０００８】
【発明の実施の形態】
図１は本発明の構築方法において使用する緑化擁壁用のコンクリートブロックの斜視図である。図１（ａ）〜（ｃ）は植裁用のＬ字形コンクリートブロック（以下「Ｌ字形ブロック」という。）１ａ，１ｂ，１ｃ、図１（ｄ）〜（ｆ）は擁壁の幅調整を兼ねた植裁用のＴ字形コンクリートブロック（以下「Ｔ字形ブロック」という。）７ａ，７ｂ，７ｃ、図１（ｇ）〜（ｉ）は幅調整を兼ねた植裁用のＵ字形コンクリートブロック（以下「Ｕ字形ブロック」という。）８ａ，８ｂ，８ｃを示す。本発明では、ブロックを積み上げるときの各段において、これらのＬ字形、Ｔ字形あるいはＵ字形の各ブロックを単独あるいは組み合わせて使用する。ブロックの組合せにより隣り合う控え部３で形成される空間に植裁土を入れて植裁部９（図１、図２）とする。
【０００９】
図１（ａ）〜（ｃ）において、植裁用のＬ字形ブロック１ａ，１ｂ，１ｃは、擁壁の壁面を形成する矩形の壁面形成部２と、壁面形成部２から直角方向に延伸して形成された控え部３とからなる平面視でＬ字形のブロックで構成される。
【００１０】
壁面形成部２には、表面から裏面に貫通する水抜き孔２ａを形成し、植裁部９（図２）から水抜きをする。なお、壁面形成部２の表面は、自然環境への調和を図るために、疑岩模様などにしてもよい。
【００１１】
控え部３には、鉄筋５（図１、図２）を挿入するとともにコンクリート６（図１、図２）を充填する縦貫通孔４ａ，４ｂ，４ｃが形成される。Ｌ字形ブロック１ａ，１ｂ，１ｃは、縦貫通孔の数を一定の間隔で１個ずつ増やして控え部３の長さを長くする。図１（ａ）〜（ｃ）に示すように、縦貫通孔４ａ，４ｂ，４ｃを１個、２個、３個有するＬ字形ブロック１ａ，１ｂ，１ｃをそれぞれ用意する。なお、縦貫通孔の数は、図１（ｃ）に示すように３個に限定されるものではなく、高く積み上げるために４個以上であってもよい。
【００１２】
縦貫通孔４ａ，４ｂ，４ｃの位置は、各Ｌ字形ブロック１ａ，１ｂ，１ｃの控え部３の端面３ａを揃えて重ねた際に一致し、鉄筋５が挿入されるようにする。縦貫通孔４ａ，４ｂ，４ｃの横断面は、図１に示す楕円形のほか矩形などの形にして鉄筋の挿入及びコンクリートの充填ができる形にすればよい。
【００１３】
Ｌ字形ブロック１ａ，１ｂ，１ｃの寸法は、適宜選択できるが、例えば、壁面形成部２は幅１２５０ｍｍ、高さ５００ｍｍで共通にし、控え部３の長さは、それぞれ５５０ｍｍ、１０００ｍｍ、１５００ｍｍする。なお、図示していないが、縦貫通孔を４個にする場合は２０００ｍｍにする。
【００１４】
Ｌ字形ブロックを横に並べることにより、隣り合うＬ字形ブロックの控え部３で形成される空間に植裁土を入れて植裁部にする。
【００１５】
擁壁を構築する際、植裁用のＬ字形ブロック１ａ，１ｂ，１ｃを千鳥状に積むので端部分が不揃いになって上段のＬ字形ブロックを支持できなくなるため、図１（ｄ）〜（ｆ）に示す、擁壁の幅調整を兼ねた植裁用のＴ字形ブロック７ａ，７ｂ，７ｃあるいは図１（ｇ）〜（ｉ）に示すＵ字形ブロック８ａ，８ｂ，８ｃを用意する。
【００１６】
図１（ｄ）〜（ｆ）において、幅調整を兼ねた植裁用のＴ字形ブロック７ａ，７ｂ，７ｃは、Ｌ字形ブロック１ａ，１ｂ，１ｃと同様に、擁壁の壁面を形成する矩形の壁面形成部２と、壁面形成部２から直角方向に延伸して形成された控え部３とからなる、平面視でＴ字形のブロックである。壁面形成部２の高さはＬ字形ブロック１ａ，１ｂ，１ｃの壁面形成部２とレベルを合わせるため同じ高さにし、幅は約１／２の幅にして千鳥状に積んだＬ字形ブロック１ａ，１ｂ，１ｃを支持するようにする。例えば、前記のＬ字形ブロック１ａ，１ｂ，１ｃの壁面形成部２が幅１２５０ｍｍ、高さ５００ｍｍの場合、Ｔ字形ブロック７ａ，７ｂ，７ｃは幅６２５ｍｍ、高さ５００ｍｍとする。
【００１７】
控え部３は、Ｌ字形ブロック１ａ，１ｂ，１ｃの控え部３と同一にし、縦貫通孔４ａ，４ｂ，４ｃの位置は、各ブロックの控え部３の端面３ｃを揃えて重ねた際に一致し、鉄筋５が挿入されるようにする。
【００１８】
Ｔ字形ブロックをＬ字形ブロックの横に並べることにより、各ブロックの控え部３で形成される空間に植裁土を入れて植裁部とすることができる。あるいは、Ｔ字形ブロックを並べて隣り合うＴ字形ブロックの控え部３で形成される空間に植裁土を入れて植裁部とすることもできる。
【００１９】
図１（ｇ）〜（ｉ）において、幅調整を兼ねた植裁用のＵ字形ブロック８ａ，８ｂ，８ｃは、擁壁の壁面を形成する矩形の壁面形成部２と、壁面形成部２の両側から直角方向に延伸して形成された一対の控え部３とからなる、平面視でＵ字形のブロックである。Ｕ字形ブロック８ａ，８ｂ，８ｃの壁面形成部２の高さおよび幅は、Ｌ字形ブロック１ａ，１ｂ，１ｃを支えるために、Ｌ字形ブロック１ａ，１ｂ，１ｃの壁面形成部２と同一にする。
【００２０】
Ｕ字形ブロック８の一対の控え部３は、それぞれＬ字形ブロック１ａ，１ｂ，１ｃの控え部３と同一にし、縦貫通孔４ａ，４ｂ，４ｃの位置は、各ブロックの控え部３の端面３ｃを揃えて重ねた際に一対の控え部３が一致し、鉄筋５が挿入されるようにする。
【００２１】
Ｕ字形ブロックの控え部３間に植裁土を入れて植裁部とする。あるいはＬ字形ブロックあるいはＴ字形ブロックと組み合わせて、隣り合う控え部３で形成される空間に植裁土を入れて植裁部とすることもできる。
【００２２】
【実施例】
次ぎに、図２および図３を参照して図１に示すコンクリートブロックを用いて本発明の構築方法について説明する。
【００２３】
図２は本発明の緑化擁壁の一例を示す斜視図、図３は同縦断面図および積み重ねたＬ字形ブロックの縦貫通孔の状態を示す拡大図である。
【００２４】
（１）鉄筋５を縦貫通孔４ａ，４ｂ，４ｃの位置に合わせて立設した基礎コンクリート１０を施工する。なお、コンクリートブロックを控え部３の端面３ａを揃えて位置決めして積み重ね、ブロックで荷重を支持するので、特に裏込めコンクリートを形成する必要はない。
【００２５】
（２）鉄筋５をＬ字形ブロック１ｃの三つの縦貫通孔４ａ，４ｂ，４ｃに通して基礎コンクリート１０の上にＬ字形ブロック１ｃを並べ、隣り合うＬ字形ブロック１ｃで形成される植裁部９となる空間に植裁土を充填する。Ｌ字形ブロック１ｃを千鳥状に積むので、端部分が不揃いになり上段のＬ字形ブロック１ｃを支持できなくなるので、幅を調整するため、端部分にＬ字形ブロック１ｃと同数の縦貫通孔４ａ，４ｂ，４ｃ有する幅調整用のＴ字形ブロック７ｃを置く。
【００２６】
同様にして下段と同じＬ字形ブロック１ｃを壁面形成部２を面一にして千鳥状に重ねた後、隣り合うＬ字形ブロック１ｃの控え部３で形成される植裁部９に植裁土を充填する。なお、植裁土の充填はＬ字形ブロック１ｃを２段に積み重ねた後に行ってもよい。
【００２７】
（３）次いで、積まれた下段のＬ字形ブロック１ｃより縦貫通孔がひとつ少ない二つの縦貫通孔４ｂ，４ｃを有するＬ字形ブロック１ｂを、鉄筋５を通してその控え部３の端面３ａを下段のＬ字形ブロック１ｃの控え部３の端面３ａに合わせて千鳥状に積み重ねる。端部分には幅調整用のＴ字形ブロック７ｂを置く。控え部３の端面３ａを合わせることにより、下段のＬ字形ブロック１ｃの二つの縦貫通孔４ｂ，４ｃと積み重ねたＬ字形ブロック１ｂの二つの縦貫通孔４ｂ，４ｃが一致する。次いで植裁土を隣り合うＬ字形ブロック１ｂの控え部３で形成される空間に充填する。
【００２８】
同様にして二つの縦貫通孔４ｂ，４ｃを有するＬ字形ブロック１ｂを控え部３の端面３ａに合わせて千鳥状に積み重ね、植裁土を隣り合うＬ字形ブロック１ｂの控え部３で形成される空間に充填する。
【００２９】
こうして、下段のＬ字形ブロック１ｃと積み重ねたＬ字形ブロック１ｂの壁面形成部２は階段状となり、また、下段のＬ字形ブロック１ｃに植裁土を充填した植裁部９が階段状に形成される。
【００３０】
（４）さらに、積まれた下段のＬ字形ブロック１ｂより縦貫通孔がひとつ少ないひとつの縦貫通孔１ａを有するＬ字形ブロック１ａを、その控え部３の端面３を下段のＬ字形ブロック１ｂの控え部３の端面３ａに合わせて千鳥状に積み重ねる。端部分に幅調整用のＴ字形ブロック７ａを置く。
【００３１】
次いでＬ字形ブロック１ａを控え部３の端面３ａに合わせて千鳥状に積み重ねる。こうして下段のＬ字形ブロック１ｂと積み重ねたＬ字形ブロック１ａの壁面形成部３は階段状となり、下段のＬ字形ブロック１ｂに植裁土を充填して植裁部が形成される。
【００３２】
以上の（１）〜（４）の手順により、階段状に植裁部９が形成される。
【００３３】
なお、本実施例では、Ｌ字形ブロックおよびＴ字形ブロックの組合せを利用したが、植裁部の配置などを考慮して、Ｌ字形ブロック、Ｔ字形ブロックおよびＵ字形ブロックを適宜組み合わせて各段を形成してもよい。
【００３４】
また、縦貫通孔を４個以上有するブロックを使用して階段数の多い擁壁を形成することができる。
【００３５】
【発明の効果】
本発明によれば、植裁用のＬ字形ブロックを控え部の端面を揃えて千鳥状に積むことにより、熟練を要することなく簡単に階段状の緑化擁壁を構築することができる。
【００３６】
また、擁壁面が階段状となるので変化があり、緑化により周辺環境にマッチさせることができる。
【図面の簡単な説明】
【図１】本発明の構築方法に使用する緑化擁壁用コンクリートブロックの斜視図である。
【図２】本発明の緑化擁壁の一例を示す斜視図である。
【図３】本発明の緑化擁壁の一例を示す縦断面図である。
【図４】従来の緑化擁壁の一例を示す図である。
【符号の説明】
１ａ，１ｂ，１ｃ：Ｌ字形ブロック
２：壁面形成部
３：控え部
３ａ：端面
４ａ，４ｂ，４ｃ：縦貫通孔
５：鉄筋
６：コンクリート
７ａ，７ｂ，７ｃ：Ｔ字形ブロック
８ａ，８ｂ，８ｃ：Ｕ字形ブロック
９：植裁部
１０：基礎コンクリート
１１：裏込めコンクリート
１２：コンクリートブロック
【図１】
2004027774.tif 000003
【図２】
2004027774.tif 000004
【図３】
2004027774.tif 000005
【図４】
2004027774.tif 000006